(57)【要約】  電気的なアプライアンス、特に、照明手段５０であって、外縁で少なくとも局所的に取り囲み得るフレーム４０と、照明手段５０に対する電気的接触ポイント６０として機能し得る少なくとも２つの接続区域６０とを持つ、電気的なアプライアンスに接続するための照明手段５０用デバイス７０に関する。これらの接続区域６０は、電気接触を供する導電性材料を有する。フレーム４０は、照明手段５０の周りに取り付けられ、照明手段５０は、フレーム４０と一緒に、対応するホルダに固定される（図２）。
2010514113.tif 000002
【特許請求の範囲】
【請求項１】
照明手段を外縁で少なくとも局所的に取り囲むフレームを有する照明手段用デバイスであって、
前記フレームは、照明手段に対して電気的接触区域として機能する少なくとも２つの接続区域を持ち、
前記接続区域は、導電性材料から作られ、
１又は幾つかの取り付けポイントが、当該デバイスを磁力によって前記照明手段に取り付けるために備えられる、デバイス。
【請求項２】
前記接続区域は、同時に、取り付けポイントとして機能する、請求項１に記載のデバイス。
【請求項３】
前記接続区域は、前記フレーム内に凹部として備えられる、請求項１又は請求項２に記載のデバイス。
【請求項４】
前記接続区域は、前記フレーム上に隆起部として備えられる、請求項１又は請求項２に記載のデバイス。
【請求項５】
前記接続区域は、前記フレームの表面と同一平面上に備えられる、請求項１又は請求項２に記載のデバイス。
【請求項６】
前記接続区域は、前記フレームの端部での共通の縁部に備えられる、請求項１又は請求項２に記載のデバイス。
【請求項７】
前記接続区域は、前記フレームの異なる端部に備えられる、請求項１又は請求項２に記載のデバイス。
【請求項８】
ポジショニング手段が、当該デバイスを、規定された区域において前記ホルダに取り付け可能な状態にするように備えられる、請求項１〜７のうちいずれか一項に記載のデバイス。
【請求項９】
前記ポジショニング手段は、前記フレーム上に突起部を有する、請求項８に記載のデバイス。
【請求項１０】
前記ポジショニング手段は、前記フレーム内に凹部を有する、請求項８に記載のデバイス。
【請求項１１】
前記接続区域は、磁化可能材料から作られる、請求項１〜１０のうちいずれか一項に記載のデバイス。
【請求項１２】
前記接続区域は、磁化材料から作られる、請求項１〜１０のうちいずれか一項に記載のデバイス。
【請求項１３】
接続区域の接触面における磁化領域は、永久磁石により発生される、請求項１２に記載のデバイス。
【請求項１４】
接続区域の接触面における磁化領域は、電磁石により発生される、請求項１２に記載のデバイス。
【請求項１５】
前記電磁石に対するエネルギが、少なくとも一時的に格納される、請求項１４に記載のデバイス。
【請求項１６】
付加的な取り付けポイントが、磁化可能材料から作られる、請求項３〜１５のうちいずれか一項に記載のデバイス。
【請求項１７】
付加的な取り付けポイントが、磁化材料から作られる、請求項３〜１５のうちいずれか一項に記載のデバイス。
【請求項１８】
前記接続区域は、前記フレーム内のスプリング圧に基づいて取り付けられる、請求項１〜１７のうちいずれか一項に記載のデバイス。
【発明の詳細な説明】
【技術分野】
【０００１】
本発明は、照明手段用デバイスに関し、特に、電気的なエンドアプライアンス（end appliance）、特に、例えば有機ＬＥＤのような平面照明手段に接触するホルダに関する。
【背景技術】
【０００２】
既知のホルダは、エンドアプライアンスをその外端領域で少なくとも局所的に取り囲み、外的影響に対して機械的に保護するフレームを有する。斯様なホルダは広く用いられている。しかしながら、エンドアプライアンスの電気的接触が、多くの場合、電気供給接触ポイントとの関係で不利に配置され、従って、非常に難しく接触されるしかないという問題が一部の実施形態において生じる。加えて、斯様なホルダは、多くの場合、機械的なクランピング又は他の機械的手段により支持体に取り付けられ、これは、関連するエンドアプライアンスを再び取り外すことを困難な状態にする。これらのエンドアプライアンスが、例えば頻繁に交換されるような装飾的なユニットの使用のために設計される場合には、斯様なホルダの動作寿命は対応して短くなるだろう。
【発明の概要】
【発明が解決しようとする課題】
【０００３】
従って、本発明の目的は、接続接触が、容易に入手可能である単純な態様でフレームにおいて保持される、並びに、ホルダが、単純な態様でエンドアプライアンスを頻繁に取り付け及び取り外し可能な状態にする保持設備を持つような、冒頭で述べた種類のホルダを構築することにある。
【課題を解決するための手段】
【０００４】
この目的は、請求項１の特徴により達成される。このデバイスは、フレームを有し、このフレームにおいて、それぞれが導電性接触面を有する少なくとも２つの接触区域が備えられ、この導電性接触面によりエンドアプライアンスへの接触が実現される。単純な電気接触は、例えば嵌合面（mating surface）又はスプリングを通過するような、電流通過に関する種々の接触可能性を提示する手法において提供される。導電性接触面は、機械的に取り付けられた部品を有さないので、頻繁な接触動作の場合であっても接触面の動作寿命に関して問題は生じないだろう。
【０００５】
有利には、対応するフレーム内に設けられるエンドアプライアンスの正確なポジショニングを促進するために、前記接触面が備えられるフレームの端部に付加的な凹部又は突起部が備えられる。この対応するフレームは、規定された区域が実現され得る手段により、嵌合隆起部（elevation）又は凹部を持つだろう。これは、同時に、不注意による電気的逆接続に対抗する突起部を提示する。
【０００６】
エンドアプライアンスへのフレームの接続は、接触区域自体、又は、フレームに埋め込まれた付加的な取り付けポイントのいずれかで作用する磁気力により実現される。結果として、接続区域は、エンドアプライアンスに関する電気的接触及び取り付けポイントの双方としての機能を果たし得る。しかしながら、代わりに、これらは、別個の取り付けポイントが追加されることで単純に電気的接触としての機能を果たしてもよい。
【０００７】
本発明の特定の実施形態において、接続区域は、磁化材料から作られ、従って、フレームは、望みどおりに、エンドアプライアンスと一緒に如何なる磁化可能材料にも取り付けられ得る。ここで、この場合もやはり、接続区域は、同時に、エンドアプライアンスに電気的に接触する機能を果たす。接続区域は、永久磁石又は電磁石から成ってもよく、後者は、適切なホルダ、又は、フレームに統合された電源のいずれかから電気エネルギを取得する。
【０００８】
特定の実施形態において、フレームは、例えば照明手段上の装飾的な効果を実現するために、エンドアプライアンスの外縁だけでなく、エンドアプライアンスの幾つかの部分もカバーする。斯様な場合においてフレームの形状に課された制限は実質的に存在しない。
【０００９】
本発明の実施形態は、図面において示される。
【図面の簡単な説明】
【００１０】
【図１】本発明によるデバイスを正面斜視図で示している。
【図２】フレームの背面の一部を示している。
【発明を実施するための形態】
【００１１】
図面に示されたデバイス７０は、電気的なエンドアプライアンス、即ち、照明手段５０とこの照明手段５０を保持するフレーム４０とを有する。フレーム４０は、照明手段５０を、その外縁、この場合においては周囲で保持する。
【００１２】
照明手段５０との電気的接触を供する接続区域６０は、合成樹脂から作られるフレーム４０内、即ちこのフレーム５０の背面に埋め込まれる。これらの接続区域６０は、磁性の又は磁化可能な面の形式をとる。フレーム４０上の隆起部から成るポジショニング要素６１は、接続区域６０の周りに設けられる。図１において、これらのポジショニング要素６１は、主に合成樹脂スタッド（stud）から成り、これらのスタッドの間に開口スペースがある。適切なホルダは、接触するための嵌合対抗片（mating counter-piece）を持つべきであり、従って、照明手段５０を含むフレーム４０が、規定された区域に挿入され得る。
【００１３】
ポジショニング要素６１は、接続面６０の付近に限定されない。即ち、これらは、フレーム４０の全体表面エリアに渡って分布されてもよい。同様に、対応するホルダへの照明手段の挿入を促進するために、凹部及び隆起部が、フレーム４０内及びフレーム４０上に備えられてもよい。
【００１４】
図面に示された本発明によるデバイスは、単なる一例を提供する。本発明は、これらに限定されない。種々の修正が実際には可能であり、例えば、フレームの材料は、合成樹脂以外の材料、例えばアルミニウムであってもよい。エンドユーザは、これにより、幅広い種類の設計可能性が提示される。
【符号の説明】
【００１５】
４０  フレーム
５０  照明手段
６０  接続区域
６１  ポジショニング手段
７０  デバイス
【図１】
2010514113.tif 000003
【図２】
2010514113.tif 000004
【国際調査報告】
2010514113.tif 000005
2010514113.tif 000006
2010514113.tif 000007
2010514113.tif 000008
2010514113.tif 000009
2010514113.tif 000010